(57)【特許請求の範囲】
【請求項１】
データの収集に優先順位をつけるためのネットワークノード（１１５）による方法（３００）であって、
パフォーマンス管理（ＰＭ）データを収集するための設定であって、
複数のＰＭカウンタであって、それぞれのＰＭカウンタは、前記ネットワークノード（１１５）によって測定されることになるパラメータと関連付けられる、複数のＰＭカウンタ、および
前記複数のＰＭカウンタの少なくとも１つと関連付けられる優先度情報
を含む、設定（２５０）を、運用、管理、および保守（ＯＡＭ）システム（２１０）から受信することと、
前記複数のＰＭカウンタおよび前記優先度情報を含む前記設定（２５０）に基づいて、前記複数のＰＭカウンタに関するデータを収集することと、
収集された前記データを前記ＯＡＭシステム（２１０）に、前記ネットワークノード（１１５）によってレポートすることと
を含み、
前記優先度情報は、少なくとも１つの他のＰＭカウンタより高い優先度のものとして、前記少なくとも１つのＰＭカウンタを識別し、
前記より高い優先度のものである前記少なくとも１つのＰＭカウンタは、無線アクセスネットワーク（ＲＡＮ）共有の課金に使用される、方法（３００）。
【請求項２】
前記複数のＰＭカウンタと関連付けられた少なくとも１つのパラメータは、
地上波公共移動通信ネットワーク（ＰＬＭＮ）ＩＤごとのデータ量と、
アップリンクごとのデータ量と、
ダウンリンクごとのデータ量と、
ＱｏＳクラスインジケータ（ＱＣＩ）またはＱＣＩのグループごとのデータ量と、
割振りと保持の優先度（ＡＲＰ）の値またはＡＲＰ値のグループごとのデータ量と、
保証ビットレート（ＧＢＲ）帯域ごとのデータ量と
からなるグループから選択されたタイプのものである、請求項１に記載の方法（３００）。
【請求項３】
少なくとも２つのＰＭカウンタに関するデータを同時に収集することをさらに含み、前記少なくとも２つのＰＭカウンタは、無線アクセスネットワーク（ＲＡＮ）共有と関連付けられる、請求項１または２のいずれか一項に記載の方法（３００）。
【請求項４】
少なくとも２つのＰＭカウンタに関するデータを収集するための処理を実行することをさらに含み、前記少なくとも２つのＰＭカウンタの１つは、無線アクセスネットワーク（ＲＡＮ）共有と関連付けられたデータを収集するためのものであり、少なくとも１つの他のＰＭカウンタは、ＲＡＮ共有と関連付けられないデータを収集するためのものである、請求項１または２のいずれか一項に記載の方法（３００）。
【請求項５】
前記優先度情報は、複数の優先度レベルを含み、前記方法は、
前記ＯＡＭシステム（２１０）から受信された前記優先度情報に基づいて、前記複数の優先度レベルのうちの関連付けられた１つに前記複数のＰＭカウンタのそれぞれを割り当てること
をさらに含む、請求項１から４のいずれか一項に記載の方法（３００）。
【請求項６】
前記複数のＰＭカウンタに関するデータの前記収集に優先順位をつけることは、
前記優先度情報に基づいて、優先順位をつけられたＰＭカウンタに専用メモリの一部を割り振ることと、
前記優先度情報に基づいて、前記優先順位をつけられたＰＭカウンタに関するデータの前記収集のために少なくとも１つの処理リソースを確保することと
の少なくとも１つを含む、請求項１から５のいずれか一項に記載の方法（３００）。
【請求項７】
データの収集に優先順位をつけるためのネットワークノード（１１５）であって、
命令を格納するメモリ（５３０）、ならびに
パフォーマンス管理（ＰＭ）データを収集するための設定であって、
複数のＰＭカウンタであって、それぞれのＰＭカウンタは、前記ネットワークノード（１１５）によって測定されることになるパラメータと関連付けられる、複数のＰＭカウンタ、および
前記複数のＰＭカウンタの少なくとも１つと関連付けられる優先度情報
を含む、設定（２５０）を、運用、管理、および保守（ＯＡＭ）システム（２１０）から受信することと、
前記複数のＰＭカウンタおよび前記優先度情報を含む前記設定（２５０）に基づいて、前記複数のＰＭカウンタに関するデータを収集することと、
収集された前記データを前記ＯＡＭシステム（２１０）に、前記ネットワークノード（１１５）によってレポートすることと
をプロセッサ（５２０）に行わせる前記命令を実行するように動作可能な前記プロセッサ（５２０）
を含み、
前記優先度情報は、少なくとも１つの他のＰＭカウンタより高い優先度のものとして、前記少なくとも１つのＰＭカウンタを識別し、
前記より高い優先度のものである前記少なくとも１つのＰＭカウンタは、無線アクセスネットワーク（ＲＡＮ）共有の課金に使用される、ネットワークノード（１１５）。
【請求項８】
前記複数のＰＭカウンタと関連付けられた少なくとも１つのパラメータは、
ＰＬＭＮ  ＩＤごとのデータ量と、
アップリンクごとのデータ量と、
ダウンリンクごとのデータ量と、
ＱｏＳクラスインジケータ（ＱＣＩ）またはＱＣＩのグループごとのデータ量と、
割振りと保持の優先度（ＡＲＰ）の値またはＡＲＰ値のグループごとのデータ量と、
保証ビットレート（ＧＢＲ）帯域ごとのデータ量と
からなるグループから選択されたタイプのものである、請求項７に記載のネットワークノード（１１５）。
【請求項９】
前記プロセッサ（５２０）は、少なくとも２つのＰＭカウンタに関するデータを同時に収集することを前記プロセッサ（５２０）に行わせる前記命令を実行するようにさらに動作可能であり、前記少なくとも２つのＰＭカウンタは、無線アクセスネットワーク（ＲＡＮ）共有と関連付けられる、請求項７または８に記載のネットワークノード（１１５）。
【請求項１０】
前記プロセッサ（５２０）は、少なくとも２つのＰＭカウンタに関するデータを収集するための処理（５２０）を実行することを前記プロセッサ（５２０）に行わせる前記命令を実行するようにさらに動作可能であり、前記少なくとも２つのＰＭカウンタの１つは、無線アクセスネットワーク（ＲＡＮ）共有と関連付けられたデータを収集するためのものであり、少なくとも１つの他のＰＭカウンタは、ＲＡＮ共有と関連付けられないデータを収集するためのものである、請求項７または８に記載のネットワークノード（１１５）。
【請求項１１】
前記優先度情報は、複数の優先度レベルを含み、前記プロセッサ（５２０）は、
前記ＯＡＭシステム（２１０）から受信された前記優先度情報に基づいて、前記複数の優先度レベルのうちの関連付けられた１つに前記複数のＰＭカウンタのそれぞれを割り当てること
を前記プロセッサ（５２０）に行わせる前記命令を実行するようにさらに動作可能である、請求項７から１０のいずれか一項に記載のネットワークノード（１１５）。
【請求項１２】
前記複数のＰＭカウンタに関するデータの前記収集に優先順位をつけるとき、前記プロセッサ（５２０）は、
前記優先度情報に基づいて、優先順位をつけられたＰＭカウンタに専用メモリ５３０の一部を割り振ることと、
前記優先度情報に基づいて、前記優先順位をつけられたＰＭカウンタに関するデータの前記収集のために少なくとも１つの処理リソースを確保することと
の少なくとも１つを実施することを前記プロセッサ（５２０）に行わせる前記命令を実行するように動作可能である、請求項７から１１のいずれか一項に記載のネットワークノード（１１５）。
【請求項１３】
データの収集に優先順位をつけるようにネットワークノード（１１５）を設定するための運用、管理、および保守（ＯＡＭ）システム（２１０）による方法（４００）であって、前記方法は、
パフォーマンス管理（ＰＭ）データを収集するための設定であって、
複数のＰＭカウンタであって、それぞれのＰＭカウンタは、前記ネットワークノード（１１５）によって測定されることになるパラメータと関連付けられる、複数のＰＭカウンタ、および
前記複数のＰＭカウンタの少なくとも１つと関連付けられる優先度情報
を含む、設定（２５０）を、前記ネットワークノード（１１５）に送信することと、
前記ネットワークノード（１１５）によって収集されたデータのレポートを受信することであって、前記レポートは、前記ＯＡＭシステム（２１０）によって前記ネットワークノード（１１５）に送信された前記設定に基づいて収集されたデータを含む、受信することと
を含み、
前記優先度情報は、少なくとも１つの他のＰＭカウンタより高い優先度のものとして、前記少なくとも１つのＰＭカウンタを識別し、
前記より高い優先度のものである前記少なくとも１つのＰＭカウンタは、無線アクセスネットワーク（ＲＡＮ）共有の課金に使用される、方法（４００）。
【請求項１４】
前記複数のＰＭカウンタと関連付けられた少なくとも１つのパラメータは、
ＰＬＭＮ  ＩＤごとのデータ量と、
アップリンクごとのデータ量と、
ダウンリンクごとのデータ量と、
ＱｏＳクラスインジケータ（ＱＣＩ）またはＱＣＩのグループごとのデータ量と、
割振りと保持の優先度（ＡＲＰ）の値またはＡＲＰ値のグループごとのデータ量と、
保証ビットレート（ＧＢＲ）帯域ごとのデータ量と
からなるグループから選択されたタイプのものである、請求項１３に記載の方法（４００）。
【請求項１５】
ＲＡＮの可観測性を共有するためのパラメータに優先順位をつけるようにネットワークノード（１１５）を設定するための運用、管理、および保守（ＯＡＭ）システム（２１０）であって、前記ＯＡＭシステムは、
命令を格納するメモリ（５３０）、ならびに
パフォーマンス管理（ＰＭ）データを収集するための設定であって、
複数のＰＭカウンタであって、それぞれのＰＭカウンタは、前記ネットワークノード（１１５）によって測定されることになるパラメータと関連付けられる、複数のＰＭカウンタ、および
前記複数のＰＭカウンタの少なくとも１つと関連付けられる優先度情報
を含む、設定（２５０）を、前記ネットワークノード（１１５）に送信することと、
前記ネットワークノード（１１５）によって収集されたデータのレポートを受信することであって、前記レポートは、前記ＯＡＭシステム（２１０）によって前記ネットワークノード（１１５）に送信された前記設定に基づいて収集されたデータを含む、受信することと
をプロセッサ（５２０）に行わせる前記命令を実行するように動作可能な前記プロセッサ（５２０）
を含み、
前記優先度情報は、少なくとも１つの他のＰＭカウンタより高い優先度のものとして、前記少なくとも１つのＰＭカウンタを識別し、
前記より高い優先度のものである前記少なくとも１つのＰＭカウンタは、無線アクセスネットワーク（ＲＡＮ）共有の課金に使用される、運用、管理、および保守（ＯＡＭ）システム（２１０）。
【請求項１６】
前記複数のＰＭカウンタと関連付けられた少なくとも１つのパラメータは、
ＰＬＭＮ  ＩＤごとのデータ量と、
アップリンクごとのデータ量と、
ダウンリンクごとのデータ量と、
ＱｏＳクラスインジケータ（ＱＣＩ）またはＱＣＩのグループごとのデータ量と、
割振りと保持の優先度（ＡＲＰ）の値またはＡＲＰ値のグループごとのデータ量と、
保証ビットレート（ＧＢＲ）帯域ごとのデータ量と
からなるグループから選択されたタイプのものである、請求項１５に記載のＯＡＭシステム（２１０）。
【発明の詳細な説明】
【技術分野】
【０００１】
優先権
本出願は、「Ｐｒｉｏｒｉｔｉｚａｔｉｏｎ  ｏｆ  Ｐａｒａｍｅｔｅｒｓ  ｆｏｒ  Ｓｈａｒｅｄ  ＲＡＮ  Ｏｂｓｅｒｖａｂｉｌｉｔｙ」という名称の、２０１６年１０月６日に出願された米国特許仮出願第６２／２３７，７６５号、および「Ｐｒｉｏｒｉｔｉｚａｔｉｏｎ  ｏｆ  Ｐａｒａｍｅｔｅｒｓ  ｆｏｒ  Ｓｈａｒｅｄ  ＲＡＮ  Ｏｂｓｅｒｖａｂｉｌｉｔｙ」という名称の、２０１６年１０月６日に出願された米国特許仮出願第６２／２３７，７５３号の優先権を主張し、その開示が本明細書によって参照により組み込まれる。
【０００２】
本開示は、一般に、ワイヤレス通信に関し、より詳細には、共有無線アクセスネットワーク（ＲＡＮ：Ｒａｄｉｏ  Ａｃｃｅｓｓ  Ｎｅｔｗｏｒｋ）の可観測性に関するパラメータに優先順位をつけるためのシステムおよび方法に関する。
【背景技術】
【０００３】
第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、ロングタームエボリューション（ＬＴＥ：Ｌｏｎｇ  Ｔｅｒｍ  Ｅｖｏｌｕｔｉｏｎ）の概念のリリース１３に関する標準化に現在取り組んでいる。図１は、ＬＴＥシステムの例示的なアーキテクチャを示す。描かれるように、ＬＴＥシステムは、無線アクセスノード（例えば、エボルブドノードＢ（ｅＮＢ）、ホームｅＮＢつまりＨｅＮＢ、ＨｅＮＢ  ＧＷ）、およびエボルブドパケットコアノード（ＭＭＥ／Ｓ−ＧＷ）を含む。見てわかるように、Ｓ１インターフェースは、ＨｅＮＢ／ｅＮＢをＭＭＥ／Ｓ−ＧＷに接続し、ＨｅＮＢをＨｅＮＢ  ＧＷに接続するが、Ｘ２インターフェースは、任意選択でＸ２  ＧＷを介し、ピアのｅＮＢ／ＨｅＮＢを接続する。
【０００４】
図２は、例示的な管理システムを示す。ｅノードＢとも呼ばれるネットワークノードは、運用、管理、および保守（ＯＡＭ：Ｏｐｅｒａｔｉｏｎｓ，  Ａｄｍｉｎｉｓｔｒａｔｉｏｎ，  ａｎｄ  Ｍａｎａｇｅｍｅｎｔ）システムによって管理される。描かれるように、ＯＡＭシステムは、１つまたは複数のドメインマネージャ（ＤＭ：ｄｏｍａｉｎ  ｍａｎａｇｅｒ）を管理するネットワークマネージャ（ＮＭ：ｎｅｔｗｏｒｋ  ｍａｎａｇｅｒ）で構成される。ＤＭは、オペレーションおよびサポートシステム（ＯＳＳ：ｏｐｅｒａｔｉｏｎ  ａｎｄ  ｓｕｐｐｏｒｔ  ｓｙｓｔｅｍ）と呼ばれることもある。２つのネットワークノードは、Ｘ２インターフェースによってインターフェースされる。２つのＤＭの間のインターフェースは、Ｉｔｆ−Ｐ２Ｐと呼ばれることがあるが、あてはまらないことがある。管理システムは、ネットワークノードを設定すること、およびネットワークノード内の特性に関連付けられた監視を受けることがある。例えば、ＤＭは、ネットワークノードを監視し、設定するが、ＮＭは、ＤＭ、およびＤＭを介してネットワークノードを、監視し、設定する。
【０００５】
ＤＭ、ＮＭ、および関連インターフェースを介した設定を使用して、例えば、ＭＭＥおよびＳ−ＧＷなどのコアネットワークを最終的に伴うＲＡＮの全体を通じて、Ｘ２インターフェースおよびＳ１インターフェースに関する機能は協調して遂行されることがある。
【０００６】
ネットワーク共有のシナリオでは、種々の管理アーキテクチャが存在することがある。共有Ｅ−ＵＴＲＡＮが単一のＤＭを有する、ということが本開示では仮定される。それぞれの共有オペレータは、それら自体の運用、管理、および保守（ＯＡＭ）能力を有することがあるが、交換される情報は、マスターオペレータによって制御される必要がある。
【０００７】
マスターＥ−ＵＴＲＡＮオペレータの制御の下、共有Ｅ−ＵＴＲＡＮのために選択されたＯＡＭの能力は、共有オペレータのＯＡＭ機能によってアクセスできることがある。このことは、例えば、ｉ）共有オペレータのネットワーク要素と共有Ｅ−ＵＴＲＡＮとの間の通信経路をテストすること、ｉｉ）障害レポートを取得すること、およびｉｉｉ）ＲＡＮのリソース利用情報を取り出すことを、共有オペレータが行うことを可能にする。
【０００８】
識別されたＲＡＮ共有シナリオに従って、どのように共通の無線リソースをオペレータが共有できるかということに、ＬＴＥの分野における最近の研究は注目してきた。この分野は、しばしば、ＲＡＮ共有またはＲＡＮ共有拡張と呼ばれる。共有無線アクセスネットワーク（ＲＡＮ）内で消費されるデータ量、ならびに共有オペレータごと、すなわち、地上波公共移動通信ネットワーク（ＰＬＭＮ：Ｐｕｂｌｉｃ  Ｌａｎｄ  Ｍｏｂｉｌｅ  Ｎｅｔｗｏｒｋ）ＩＤごと、およびサービス品質（ＱｏＳ）パラメータごとに収集されるデータ量についての統計情報を、オペレータが収集することを可能にする提案が、ＲＡＮ共有拡張に関するこの背景の中で行われてきた。ＲＡＮ共有におけるデータ量をレポートするという提案に関するいくつかの例は、Ｒ３−１５２１２６、Ｍｅａｓｕｒｉｎｇ  ｒｅｓｏｕｒｃｅ  ｕｓａｇｅ  ｆｏｒ  ｓｈａｒｅｄ  Ｅ−ＵＴＲＡＮ（ＴｅｌｉａＳｏｎｅｒａ）、Ｒ３−１５２１８０、Ｐｒｏｐｏｓｅｄ  ａｎｓｗｅｒｓ  ｔｏ  ＳＡ５  ａｎｄ  ｔｒａｄｅ−ｏｆｆ  ｂｅｔｗｅｅｎ  ｃｏｍｐｌｅｘｉｔｙ  ａｎｄ  ｆｉｌｔｅｒｉｎｇ  ｇｒａｎｕｌａｒｉｔｙ（Ａｌｃａｔｅｌ−Ｌｕｃｅｎｔ）、Ｒ３−１５１６３４、Ｄａｔａ  Ｖｏｌｕｍｅ  Ｒｅｐｏｒｔｉｎｇ  ｉｎ  ＲＡＮ  Ｓｈａｒｉｎｇ（Ｅｒｉｃｓｓｏｎ）、Ｒ３−１５１５９９、Ｓｉｍｐｌｉｆｉｃａｔｉｏｎｓ  ｆｏｒ  ｉｍｐｌｅｍｅｎｔａｔｉｏｎ  ｏｆ  ｄａｔａ  ｖｏｌｕｍｅ  ｃｏｕｎｔｅｒｓ（Ａｌｃａｔｅｌ−Ｌｕｃｅｎｔ）、Ｒ３−１５１６７５、Ｉｎｔｒｏｄｕｃｔｉｏｎ  ｏｆ  ＱｏＳ  ｐｒｏｆｉｌｅｓ  ｉｎ  ｔｈｅ  ｍｅａｓｕｒｅｍｅｎｔｓ  ｆｏｒ  ＲＡＮ  ｓｈａｒｉｎｇ（ＴｅｌｉａＳｏｎｅｒａ  ＡＢ）、およびＲ３−１５１８４８、Ｒｅｐｌｙ  ＬＳ  ｏｎ  ＲＡＮ  Ｓｈａｒｉｎｇ  Ｅｎｈａｎｃｅｍｅｎｔｓ  ｆｏｒ  ＬＴＥ（Ｔｏ：ＲＡＮ３）を含むことがある。これらの提案は、３ＧＰＰ  ＲＡＮ３において議論された問題、ならびに共有オペレータごと、およびＱｏＳパラメータごとにデータ量レポートを収集する方法に関わる問題へのアプローチを説明する。
【０００９】
これらの提案は、ｅＮＢで収集され、周期的におよび／またはイベントごとに、ＯＡＭシステムにレポートされるＲＡＮのパフォーマンスに関連したカウンタなどの、パフォーマンス管理カウンタを再使用することからなる。具体的には、以下のパラメータの１つまたはすべてに関連したカウンタが収集されてよい。
−ＰＬＭＮ  ＩＤごとのデータ量
−ＵＬ／ＤＬのトラフィック方向ごとのデータ量
−ＱｏＳクラスインジケータ（ＱＣＩ：ＱｏＳ  Ｃｌａｓｓ  Ｉｎｄｉｃａｔｏｒ）またはＱＣＩのグループごとのデータ量
−割振りと保持の優先度（ＡＲＰ：Ａｌｌｏｃａｔｉｏｎ  ａｎｄ  Ｒｅｔｅｎｔｉｏｎ  Ｐｒｉｏｒｉｔｙ）の値またはＡＲＰのグループごとのデータ量
−保証ビットレート（ＧＢＲ：Ｇｕａｒａｎｔｅｅｄ  Ｂｉｔ  Ｒａｔｅ）帯域、すなわち、ベアラトラフィックがターゲットＧＢＲを有するターゲットＧＢＲの範囲ごとのデータ量
【００１０】
ＲＡＮ共有の状況において、データ量レポートへの現在のアプローチにいくつかの欠点がある。例えば、所要のデータ量のフィルタリング尺度から導出するカウンタの総数は、数１０万のフィルタリング尺度のカウンタに到達することがあり、それどころか何１００万ものカウンタがｅＮＢに内部で収集されることがある。ｅＮＢがＯＡＭシステムにレポートできるカウンタの数に、制限が課されたとしても、２つの問題が依然として発生することがある。第１に、ｅＮＢは、関係のあるデータ量を抽出し、ＯＡＭにレポートするために、新たに利用できるフィルタリング尺度に対応するカウンタすべてを収集する必要があることがある。第２に、ＯＡＭにレポートされる必要がある、関係のあるカウンタに関するデータ量だけを、ｅＮＢが収集するとしても、収集されることになるパフォーマンス管理（ＰＭ：ｐｅｒｆｏｒｍａｎｃｅ  ｍａｎａｇｅｍｅｎｔ）カウンタの全体的な数が、ｅＮＢにとって多すぎることがあり、カウンタのいくつかが破壊されることになる。
【００１１】
１つの例示の実装形態において、ＱｏＳパラメータごとに消費されるデータ量に基づいて、共有ＲＡＮに関与するオペレータに互いに適宜課金させるために、ＲＡＮ共有に関する新しいデータ量レポートカウンタに対する拡張が導入されつつある。したがって、これらのカウンタ、つまり、具体的には、請求目的で使用されるこれらのカウンタは、信頼でき堅牢な方式で収集されるはずである。
【００１２】
しかし、ＰＭカウンタを収集する現在のメカニズムは、このような堅牢性を保証しない。実は、Ｒ３−１５１８４８つまりＲｅｐｌｙ  ＬＳ  ｏｎ  ＲＡＮ  Ｓｈａｒｉｎｇ  Ｅｎｈａｎｃｅｍｅｎｔｓ  ｆｏｒ  ＬＴＥ（Ｔｏ：ＲＡＮ３；Ｃｃ：ＳＡ１，ＲＡＮ２）（ＳＡ５，Ｎｏｋｉａ）において、現在のＰＭメカニズムは、周期的な（しかし、真のリアルタイムではない）測定レポートだけをサポートすることが言及された。最小の測定レポート周期は５分である。追加として、ＴＳ３２．４０１、Ｐｅｒｆｏｒｍａｎｃｅ  Ｍａｎａｇｅｍｅｎｔ（ＰＭ），Ｃｏｎｃｅｐｔ  ａｎｄ  Ｒｅｑｕｉｒｅｍｅｎｔ（Ｒｅｌｅａｓｅ１３）、ｖ１３．０．０、およびＴＳ３２．４３２、Ｐｅｒｆｏｒｍａｎｃｅ  Ｍａｎａｇｅｍｅｎｔ，Ｆｉｌｅ  Ｆｏｒｍａｔ  Ｄｅｆｉｎｉｔｉｏｎ、（Ｒｅｌｅａｓｅ１２）、ｖ１２．０．０に明示されるように、ＰＭレポートは、測定結果が信頼できるかどうかを示す「疑わしいフラグ」を、測定レポートに含むことがある。このように、ＲＡＮ共有に関する新しいデータ量レポートをレポートするのに使用されることになるＰＭカウンタのメカニズムは、信頼性が欠如しがちであるということが認識されることがある。例えば、レポートは破壊されることがあり、その場合、「疑わしいフラグ」がセットされ、全レポート周期が影響を受けることを示す。
【００１３】
さらに、データが、送信先ＥＭ（エレメントマネージャ）および／もしくはＮＭ（ネットワークマネージャ）に送られるまで、または送信先ＥＭおよび／もしくはＮＭにより取り出されるまで、ｅＮＢはパフォーマンス測定結果のデータを保持しなければならない。また、ＴＳ３２．４０１、Ｐｅｒｆｏｒｍａｎｃｅ  Ｍａｎａｇｅｍｅｎｔ（ＰＭ），Ｃｏｎｃｅｐｔ  ａｎｄ  Ｒｅｑｕｉｒｅｍｅｎｔ（Ｒｅｌｅａｓｅ１３）、ｖ１３．０．０に明示されるように、ストレージ性能、およびデータがｅＮＢで保持される継続時間は、オペレータおよび実装次第である。
【００１４】
例えば、共有ＲＡＮの一定のＱｏＳレベルで、消費データに由来する請求をオペレータが解決するのに役立つことなど、共有オペレータを横断する課金のためにデータ量が使用されることがあるにもかかわらず、ＲＡＮ共有のデータ量に対する潜在的な問題が結果的に存在する。しかし、ＰＭカウンタは、課金データが必要とするはずの信頼性を提供するようにデザインされていない。
【００１５】
ストレージ空間およびデータ保持の継続時間が、オペレータ固有のものおよび／または実装形態固有のものであり、制限され得ること、ならびにｅＮＢによってＯＡＭシステムにレポートされる非常に多くのＰＭカウンタがあることを考慮すると、破壊されたデータによってカバーされる全期間の請求データをオペレータが作り出せない場合、破壊による新しいデータ量レポートのエラー、メモリの不足などのｅＮＢの内部制限、処理リソースの不足、および同様のものは、オペレータにかなりのダメージを与えることがある。
【発明の概要】
【００１６】
既存のソリューションと共に前述の問題に対処するために、ＰＭカウンタデータの収集に優先順位をつけ、ＰＭカウンタの堅牢性および信頼性を改善するためのシステムおよび方法が開示される。
【００１７】
一定の実施形態によれば、データの収集に優先順位をつけるためのネットワークノードによる方法は、パフォーマンス管理（ＰＭ）データを収集するための設定を、運用、管理、および保守（ＯＡＭ）システムから受信することを含む。設定は、ＰＭカウンタ、および少なくとも１つのＰＭカウンタと関連付けられる優先度情報を含む。それぞれのＰＭカウンタは、ネットワークノードによって測定されることになるパラメータと関連付けられる。ＰＭカウンタおよび優先度情報を含む設定に基づいて、ネットワークノードは、複数のＰＭカウンタに関するデータを収集し、収集されたデータをＯＡＭシステムにレポートする。
【００１８】
一定の実施形態によれば、データの収集に優先順位をつけるためのネットワークノードであって、ネットワークノードは、命令を格納するメモリ、およびパフォーマンス管理（ＰＭ）データを収集するための設定を、運用、管理、および保守（ＯＡＭ）システムから受信することを、プロセッサに行わせる命令を実行するように動作可能なプロセッサを含む。設定は、ＰＭカウンタ、およびＰＭカウンタの少なくとも１つと関連付けられる優先度情報を含む。それぞれのＰＭカウンタは、ネットワークノードによって測定されることになるパラメータと関連付けられる。ＰＭに関するデータは、ＰＭカウンタおよび優先度情報を含む設定に基づいて収集され、ＯＡＭシステムにレポートされる。
【００１９】
一定の実施形態によれば、データの収集に優先順位をつけるようにネットワークノードを設定するために、運用、管理、および保守（ＯＡＭ）システムによる方法が提供される。パフォーマンス管理（ＰＭデータ）を収集するための設定は、ネットワークノードに送信される。設定は、ＰＭカウンタ、およびＰＭカウンタの少なくとも１つと関連付けられる優先度情報を含む。それぞれのＰＭカウンタは、ネットワークノードによって測定されることになるパラメータと関連付けられる。ネットワークノードによって収集されたデータのレポートは受信される。レポートは、ＯＡＭシステムによってネットワークノードに送信された設定に基づいて収集されたデータを含む。
【００２０】
一定の実施形態によれば、ＲＡＮの可観測性を共有するためのパラメータに優先順位をつけるようにネットワークノードを設定するための運用、管理、および保守（ＯＡＭ）システムが提供される。ＯＡＭシステムは、命令を格納するメモリ、およびパフォーマンス管理（ＰＭ）データを収集するための設定を、ネットワークノードに送信することを、プロセッサに行わせる命令を実行するように動作可能なプロセッサを含む。この設定は、複数のＰＭカウンタ、およびＰＭカウンタの少なくとも１つと関連付けられる優先度情報を含む。それぞれのＰＭカウンタは、ネットワークノードによって測定されることになるパラメータを伴う。ネットワークノードによって収集されたデータのレポートは受信される。このレポートは、ＯＡＭシステムによってネットワークノードに送信された設定に基づいて収集されたデータを含む。
【００２１】
本開示の一定の実施形態は、１つまたは複数の技術的な利点をもたらすことがある。例えば、一定の実施形態は、より堅牢で信頼できるＰＭカウンタデータを提供することがある。１つの例示の実装形態において、一定の実施形態は、このようなカウンタがエラーになりにくいように、および／またはネットワークノードのストレージ制限のために破壊されないように、請求目的で使用されるＲＡＮ共有のデータ量カウンタの収集に優先順位をつけてよい。別の利点は、ストレージの処理能力またはバックホールの制限に起因するボトルネックにもかかわらず、このようなＰＭカウンタが収集されることを、一定の実施形態が保証するというものであってよい。さらに別の利点は、より高い優先度のパラメータは収集され、正確にレポートされるが、他のそれほど重要ではないパラメータは、優先順位を下げた結果、パフォーマンス制限による影響を最終的に受けるというメカニズムを、一定の実施形態が可能にするというものであってよい。
【００２２】
他の利点は、当業者に容易に明白であり得る。一定の実施形態には、列挙された利点が１つもないか、またはいくつかもしくはすべてがあってよい。
【００２３】
開示の実施形態ならびにこれらの特性および利点をさらに完璧に理解するために、ここから、添付の図面と共に以下の説明への参照が行われる。
【図面の簡単な説明】
【００２４】
【図１】ＬＴＥシステムの例示的なアーキテクチャを示す図である。
【図２】例示的な管理システムを示す図である。
【図３】一定の実施形態による、データの収集に優先順位をつけるための例示的なワイヤレスネットワークを示す図である。
【図４】一定の実施形態による、データの収集に優先順位をつけるための例示的な管理システムを示す図である。
【図５】一定の実施形態による、データの収集に優先順位をつけるためのネットワークノードによる例示の方法を示す図である。
【図６】一定の実施形態による、データの収集に優先順位をつけるための運用、管理、および保守（ＯＡＭ）システムによる例示の方法を示す図である。
【図７】一定の実施形態による、データの収集に優先順位をつけるための例示のネットワークノードを示す図である。
【図８】一定の実施形態による、データの収集に優先順位をつけるための例示の仮想コンピューティングデバイスを示す図である。
【図９】一定の実施形態による、データの収集に優先順位をつけるための別の例示的な仮想コンピューティングデバイスを示す図である。
【図１０】一定の実施形態による、データの収集に優先順位をつけるための例示的なワイヤレスデバイスを示す図である。
【発明を実施するための形態】
【００２５】
本開示の特定の実施形態は、優先順位をつけられたパフォーマンス管理（ＰＭ）カウンタと関連付けられたデータの収集が、他のより低い優先度のＰＭカウンタより堅牢で信頼できることを保証するソリューションを提供することがある。ネットワークノードの不十分なストレージ、ネットワークノードの不十分な性能、または他のファクタのために破壊されるようになる同じ危険性に、すべてのＰＭカウンタは等しくさらされる。しかし、本明細書で説明される特定の実施形態は、これらの欠陥および制限に対処する。
【００２６】
例えば、一定の実施形態によれば、請求目的に使用されるＲＡＮ共有のデータ量カウンタはエラーが生じやすく、したがって、ネットワークノードのストレージまたは処理の制限により破壊されるという危険性を回避または低減させるために、一定のＰＭカウンタは優先順位をつけられてよい。ストレージ、処理能力、またはバックホールの制限などのボトルネックにもかかわらず、優先順位をつけられたＰＭカウンタと関連付けられたデータは収集されてよい。
【００２７】
特定の実施形態は、図面の図１〜図１０で説明され、様々な図面の同様かつ対応する部分に対して同様の数字が使用される。図３は、一定の実施形態による、データの収集に優先順位をつけるためのネットワーク１００の実施形態を示すブロック図である。ネットワーク１００は、１つまたは複数のワイヤレスデバイス１１０Ａ〜１１０Ｃを含み、これらは、区別なく、ワイヤレスデバイス１１０またはユーザ機器（ＵＥ）１１０と呼ばれてよく、ネットワークノード１１５Ａ〜１１５Ｃを含み、これらは、区別なく、ネットワークノード１１５またはｅＮｏｄｅＢ１１５と呼ばれてよい。ワイヤレスデバイス１１０は、ワイヤレスインターフェースでネットワークノード１１５と通信してよい。例えば、ワイヤレスデバイス１１０Ａは、ネットワークノード１１５の１つもしくは複数にワイヤレスシグナルを送信してよく、および／またはネットワークノード１１５の１つもしくは複数からワイヤレスシグナルを受信してよい。ワイヤレスシグナルは、音声トラフィック、データトラフィック、制御シグナル、および／または任意の他の適切な情報を含んでよい。いくつかの実施形態において、ネットワークノード１１５と関連付けられたワイヤレスシグナルのカバレッジのエリアは、セルと呼ばれることがある。いくつかの実施形態において、ワイヤレスデバイス１１０は、Ｄ２Ｄ能力を有することがある。このように、ワイヤレスデバイス１１０は、別のワイヤレスデバイス１１０からシグナルを直接受信し、および／または別のワイヤレスデバイス１１０にシグナルを直接送信できてよい。例えば、ワイヤレスデバイス１１０Ａは、ワイヤレスデバイス１１０Ｂからシグナルを受信し、および／またはワイヤレスデバイス１１０Ｂにシグナルを送信できてよい。
【００２８】
一定の実施形態において、ネットワークノード１１５は、（図３に描かれていない）無線ネットワークコントローラとインターフェースしてよい。無線ネットワークコントローラは、ネットワークノード１１５を制御してよく、一定の無線リソース管理機能、モビリティ管理機能、および／または他の適切な機能を提供してよい。一定の実施形態において、無線ネットワークコントローラの機能は、ネットワークノード１１５に含まれてよい。無線ネットワークコントローラは、コアネットワークノードとインターフェースしてよい。一定の実施形態において、無線ネットワークコントローラは、相互接続ネットワークを介してコアネットワークノードとインターフェースしてよい。相互接続ネットワークは、オーディオ、ビデオ、シグナル、データ、メッセージ、または先述の任意の組合せを送信することができる任意の相互接続システムを指してよい。相互接続ネットワークは、公衆交換電話網（ＰＳＴＮ）、公衆データネットワークもしくはプライベートデータネットワーク、ローカルエリアネットワーク（ＬＡＮ）、メトロポリタンエリアネットワーク（ＭＡＮ）、広域ネットワーク（ＷＡＮ）、ローカルの、地域の、もしくはグローバルな通信、あるいはインターネット、ワイヤラインもしくはワイヤレスネットワーク、企業イントラネット、またはこれらの組合せを含む任意の他の適切な通信リンクなどのコンピュータネットワークの、すべてまたは一部を含んでよい。
【００２９】
いくつかの実施形態において、（描かれていない）コアネットワークノードは、通信セッションの確立、およびワイヤレスデバイス１１０のための様々な他の機能性を管理してよい。ワイヤレスデバイス１１０は、非アクセス層のレイヤを使用して、コアネットワークノードと一定のシグナルを交換してよい。非アクセス層のシグナリングでは、ワイヤレスデバイス１１０とコアネットワークノードとの間のシグナルは、無線アクセスネットワークを透過的に通過してよい。一定の実施形態において、ネットワークノード１１５は、ノード間インターフェースで１つまたは複数のネットワークノードとインターフェースしてよい。例えば、ネットワークノード１１５Ａと１１５Ｂは、Ｘ２インターフェースでインターフェースしてよい。
【００３０】
上述のように、ネットワーク１００の例示の実施形態は、１つまたは複数のワイヤレスデバイス１１０を含んでよく、ワイヤレスデバイス１１０と（直接的または間接的に）通信することができる１つまたは複数の種々のタイプのネットワークノードを含んでよい。ワイヤレスデバイス１１０は、ノードと通信する、および／またはセルラーもしくは移動体通信システムにおける別のワイヤレスデバイスと通信する、任意のタイプのワイヤレスデバイスを指してよい。ワイヤレスデバイス１１０の例は、携帯電話、スマートフォン、ＰＤＡ（パーソナルデジタルアシスタント）、ポータブルコンピュータ（例えば、ラップトップ、タブレット）、センサ、モデム、マシンタイプコミュニケーション（ＭＴＣ）デバイス／マシンツーマシン（Ｍ２Ｍ）デバイス、ラップトップ内蔵機器（ＬＥＥ：ｌａｐｔｏｐ  ｅｍｂｅｄｄｅｄ  ｅｑｕｉｐｍｅｎｔ）、ラップトップ搭載型機器（ＬＭＥ：ｌａｐｔｏｐ  ｍｏｕｎｔｅｄ  ｅｑｕｉｐｍｅｎｔ）、ＵＳＢドングル、Ｄ２Ｄ可能デバイス、またはワイヤレス通信を提供できる別のデバイスを含む。いくつかの実施形態において、ワイヤレスデバイス１１０は、ＵＥ、ステーション（ＳＴＡ）、デバイス、または端末と呼ばれることもある。また、いくつかの実施形態において、包括的な専門用語「無線ネットワークノード」（または単純に「ネットワークノード」）が使用される。これは、任意の種類のネットワークノードであってよく、ノードＢ、基地局（ＢＳ）、ＭＳＲ  ＢＳなどのマルチ標準無線機（ＭＳＲ：ｍｕｌｔｉ−ｓｔａｎｄａｒｄ  ｒａｄｉｏ）無線ノード、ｅＮｏｄｅＢ、ネットワークコントローラ、無線ネットワークコントローラ（ＲＮＣ）、基地局コントローラ（ＢＳＣ：ｂａｓｅ  ｓｔａｔｉｏｎ  ｃｏｎｔｒｏｌｌｅｒ）、中継機を制御する中継ドナーノード（ｒｅｌａｙ  ｄｏｎｏｒ  ｎｏｄｅ  ｃｏｎｔｒｏｌｌｉｎｇ  ｒｅｌａｙ）、基地送受信局（ＢＴＳ：ｂａｓｅ  ｔｒａｎｓｃｅｉｖｅｒ  ｓｔａｔｉｏｎ）、アクセスポイント（ＡＰ）、送信ポイント、送信ノード、ＲＲＵ、ＲＲＨ、分散アンテナシステム（ＤＡＳ：ｄｉｓｔｒｉｂｕｔｅｄ  ａｎｔｅｎｎａ  ｓｙｓｔｅｍ）内のノード、コアネットワークノード（例えば、ＭＳＣ、ＭＭＥ、他）、Ｏ＆Ｍ、ＯＳＳ、ＳＯＮ、測位ノード（例えば、Ｅ−ＳＭＬＣ）、ＭＤＴ、または任意の適切なネットワークノードを含んでよい。ネットワークノード１１５、ワイヤレスデバイス１１０、および他のネットワークノードの例示の実施形態は、図４および図５それぞれに関してさらに詳細に説明される。
【００３１】
図３は、ネットワーク１００の特定の仕組みを示すが、本明細書で説明された様々な実施形態が、任意の適切な設定を有する様々なネットワークに適用されてよいということを、本開示は想定する。例えば、ネットワーク１００は、任意の適切な数のワイヤレスデバイス１１０およびネットワークノード１１５を含んでよく、ならびにワイヤレスデバイス間の通信、またはワイヤレスデバイスと（固定電話などの）別の通信デバイスとの間の通信をサポートするのに適切な任意の追加の要素を含んでよい。さらに、ロングタームエボリューション（ＬＴＥ）ネットワークに実装されるような、一定の実施形態が説明されることがあるが、これらの実施形態は、任意の適切な通信標準をサポートし、任意の適切な構成要素を使用する任意の適正なタイプのテレコミュニケーションシステムに実装されてよく、ワイヤレスデバイスがシグナル（例えば、データ）を受信および／または送信する任意の無線アクセス技術（ＲＡＴ）またはマルチＲＡＴシステムに適用可能である。例えば、本明細書で説明される様々な実施形態は、ＬＴＥ、ＬＴＥアドバンスト、ＬＴＥ−Ｕ  ＵＭＴＳ、ＨＳＰＡ、ＧＳＭ、ｃｄｍａ２０００、ＷｉＭａｘ、ＷｉＦｉ、別の適切な無線アクセス技術、または１つもしくは複数の無線アクセス技術の任意の適切な組合せに適用可能なことがある。ダウンリンクの無線送信という状況下で、一定の実施形態が説明されることがあるが、様々な実施形態がアップリンクに等しく適用でき、逆もまた同様であることを、本開示は想定する。
【００３２】
本明細書で説明される優先順位付けの技法は、免許不要チャネル内のＬＡＡ  ＬＴＥとスタンドアロンＬＴＥ運用の両方に適用可能である。説明された技法は、一般に、ネットワークノード１１５とワイヤレスデバイス１１０の両方からの送信に適用可能である。
【００３３】
図４は、一定の実施形態による、データの収集に優先順位をつけるための例示的な管理システム２００を示す。管理システムは、ネットワークノード１１５Ａ〜１１５Ｃを含み、これらは、運用、管理、および保守（ＯＡＭ）システム２１０によって管理されるｅＮｏｄｅＢを含んでよい。描かれるように、管理システムと呼ばれることもあるＯＡＭシステム２１０は、１つまたは複数のドメインマネージャ（ＤＭ）２３０を管理するネットワークマネージャ（ＮＭ）２２０で構成される。ＤＭ２３０は、オペレーションおよびサポートシステム（ＯＳＳ）と呼ばれることもある。ネットワークノード１１５Ａ〜１１５Ｃは、Ｘ２インターフェース２４０によってインターフェースされる。運用時、管理システム２１０は、ネットワークノード１１５Ａ〜１１５Ｃを設定してよく、ネットワークノード１１５Ａ〜１１５Ｃの特性に関連付けられる監視を受けてよい。例えば、ＤＭ２３０は、ネットワークノード１１５Ａ〜１１５Ｃを監視および設定してよいが、ＮＭ２２０は、ＤＭ２３０を、およびＤＭ２３０を介してネットワークノード１１５Ａ〜１１５Ｃを、監視および設定する。ＯＡＭシステム２１０は、ネットワークノード１１５Ａ〜１１５Ｃとは明らかに異なるものとして示されるが、ＯＡＭシステム２１０、またはＯＡＭシステム２１０の一部は、１つまたは複数のネットワークノード１１５Ａ〜１１５Ｃに組み込まれてよく、図７に関して以下で説明される特性および構成要素などの、特性および構成要素を含んでよいということが認識される。
【００３４】
一定の実施形態によれば、具体的な期間内に収集され、ＯＡＭ２１０にレポートを返されることになる一連のＰＭカウンタでネットワークノード１１５Ａ〜１１５Ｃを設定するために、ＯＡＭシステム２１０は設定２５０を送信してよい。特定の実施形態によれば、これらのカウンタは、以下のフィルタリング尺度の１つまたは複数に従って収集されるように設定されてよい。
−  ＰＬＭＮ  ＩＤごとのデータ量の収集、
−  ＵＬ／ＤＬのトラフィック方向ごとのデータ量の収集、
−  ＱｏＳクラスインジケータ（ＱＣＩ）またはＱＣＩのグループごとのデータ量の収集、
−  割振りと保持の優先度（ＡＲＰ）の値またはＡＲＰのグループごとのデータ量の収集、および
−  保証ビットレート（ＧＢＲ）の帯域、すなわちベアラトラフィックがターゲットＧＢＲを有するターゲットＧＢＲの範囲ごとのデータ量の収集
【００３５】
一定の実施形態において、ＯＡＭ２１０は、それぞれの設定されたＰＭカウンタに関する優先度フラグを送信してもよい。ネットワークノード１１５Ａ〜１１５Ｃによってカウンタが優先順位をつけられることになるかどうかを、優先度フラグは明示してよい。
【００３６】
設定２５０に従ってネットワークノード１１５Ａ〜１１５Ｃが設定された後、ネットワークノード１１５Ａ〜１１５Ｃは、ＲＡＮ共有に関するＰＭカウンタ収集の処理を開始する。いくつかの実施形態において、このような処理は、他のＰＭカウンタの収集のために他の処理と同時に動かされてよい。特定の実施形態において、これらの他の処理は、ＲＡＮ共有に関連してよく、またはしなくてもよい。
【００３７】
設定２５０に基づいて、特定のＰＭカウンタが優先順位をつけられることになることを示すセットされた優先度フラグで設定されるＰＭカウンタに関するデータ収集の処理およびレポートに、ネットワークノード１１５Ａ〜１１５Ｃは優先順位をつける。別の言い方をすれば、優先順位をつけられた場合、このようなカウンタに関してデータを収集し、ＯＡＭシステム２１０にレポートする処理は、このようなカウンタに関するデータの収集およびレポートをより堅牢で信頼できるものにする方式で、ネットワークノード１１５Ａ〜１１５Ｃの中で優先権を得るべきである。例えば、ネットワークノード１１５Ａ〜１１５Ｃは、他の優先順位をつけられていないＰＭカウンタの処理より先に、優先順位をつけられたＰＭカウンタに関するデータが正確に収集され、格納されることを保証してよい。結果的に、特定の実施形態において、優先順位をつけられたＰＭカウンタの処理と関連付けられたデータは、他の収集されたＰＭカウンタデータに対して、エラーが生じにくくなることがある。
【００３８】
特定の実施形態において、例えば、ＲＡＮ共有のデータ量レポートカウンタは、優先順位をつけられてよい。一定の実装形態において、例えば、消費されたＱｏＳごとのデータ量に基づいて互いに請求するために、共有ＲＡＮに参加するオペレータが使用することになっている課金データの喪失の可能性を、このような優先順位付けが低減させることがある。
【００３９】
特定の実施形態において、オペレータを横断する課金および請求に使用されることになっているこれらのＲＡＮ共有データ量カウンタのためだけに、優先順位付けフラグはセットされてよい。他のＲＡＮ共有のデータ量レポートは、いかなる具体的な優先順位付けもなく収集されてよく、このようなデータはオペレータによってリクエストされるが、これらは課金および請求に使用されることにはならず、したがって、このようなカウンタのための処理は、優先順位をつけられないであろうということを意味する。
【００４０】
別の特定の実施形態において、優先度フラグは、すべてのＰＭカウンタに拡大されてよく、ＲＡＮ共有のデータ量レポートの目的で収集されるＰＭカウンタだけに拡大されることはない。このようにして、優先順位をつけられることになる処理は、優先度フラグがセットされるカウンタの処理になるであろう。
【００４１】
さらに他の特定の実施形態によれば、優先度フラグは２つ以上の値をとることがあり、例えば、高い優先度、中間の優先度、および低い優先度を示すことがある。この優先度レベルに応じて、カウンタに関して、データを収集し、ＯＡＭにレポートする処理は、他のカウンタの処理に対して優先順位をつけられるであろう。したがって、カウンタの信頼性および堅牢性は、フラグによって示される優先度レベルに比例するであろう。すなわち優先度レベルが高ければ高いほど、具体的なカウンタに関するデータがエラーを生じやすくなる機会、および／または破壊される機会は少なくなる。
【００４２】
説明される実施形態のいくつかは、具体的なＰＭカウンタに関するデータの収集およびレポートの処理の優先順位付けを考慮に入れる。ＲＡＮ共有のデータ量レポートのケースにおいて、ＲＡＮ共有のデータ量レポートに関するＰＭカウンタは、オペレータを横断する請求および課金のために共有ＲＡＮに関与するオペレータによって使用されてよいので、本明細書における方法およびノードによって提供される利点は、かなりのものである。ネットワークノード１１５Ａ〜１１５Ｃは、このようなカウンタに優先順位をつけられるので、このようなカウンタに関するデータが破壊され、したがって使用できなくなるという見込みを減少させることは可能である。その後、オペレータを横断する課金および請求の堅牢性を増加させ、オペレータの収入を増加させる。
【００４３】
上述のように、設定データ２５０は、ＯＡＭシステム２１０とネットワークノード１１５Ａ〜１１５Ｃとの間で交換される。より具体的には、ＯＡＭシステム２１０は、設定２５０をネットワークノード１１５Ａ〜１１５Ｃに提供する。図５は、一定の実施形態による、データの収集に優先順位をつけるための、ネットワークノード１１５Ａ〜１１５Ｃによる例示の方法３００を示す。ＰＭデータを収集するための設定２５０を、ネットワークノード１１５Ａ〜１１５ＣがＯＡＭシステム２１０から受信すると、ステップ３０２において方法は始まる。一定の実施形態において、設定２５０は、１つまたは複数のＰＭカウンタを含んでよい。それぞれのＰＭカウンタは、ネットワークノード１１５Ａ〜１１５Ｃによって測定されることになるパラメータと関連付けられてよい。例えば、一定の実施形態において、および上述のように、ＰＭカウンタと関連付けられたパラメータは、以下のタイプ、すなわち、ＰＬＭＮ  ＩＤごとのデータ量と、アップリンクごとのデータ量と、ダウンリンクごとのデータ量と、ＱｏＳクラスインジケータ（ＱＣＩ）またはＱＣＩのグループごとのデータ量と、割振りと保持の優先度（ＡＲＰ）の値またはＡＲＰ値のグループごとのデータ量と、保証ビットレート（ＧＢＲ）帯域ごとのデータ量と、のうちの１つのものであってよい。
【００４４】
一定の実施形態において、ステップ３０２で受信された設定２５０は、設定２５０に含まれるＰＭカウンタの少なくとも１つと関連付けられる優先度情報を含んでもよい。例えば、優先度情報は、少なくとも１つの他のＰＭカウンタより高い優先度のものとして、少なくとも１つのＰＭカウンタを識別する。特定の実施形態において、ＲＡＮ共有の課金に使用されるＰＭカウンタは、高い優先度またはより高い優先度のＰＭカウンタとして指定されてよい。
【００４５】
特定の実施形態において、優先度情報は、複数の優先度レベルを含んでよい。複数のＰＭカウンタに関するデータの収集に優先順位をつけることは、優先度情報に基づいて、優先順位をつけられたＰＭカウンタに専用メモリの一部を割り振ること、および／または優先順位をつけられたＰＭカウンタに関するデータの収集のために処理リソースを確保することを含んでよい。
【００４６】
ステップ３０４において、ネットワークノード１１５Ａ〜１１５Ｃは、ＰＭカウンタおよび優先度情報を含んだ設定２５０に基づいて、ＰＭカウンタに関するデータを収集する。一定の実施形態において、ネットワークノード１１５Ａ〜１１５Ｃは、少なくとも２つのＰＭカウンタに関するデータを同時に収集してよい。一定の実施形態において、少なくとも２つのＰＭカウンタは、ＲＡＮ共有と関連付けられてよい。他の実施形態において、少なくとも２つのＰＭカウンタの１つは、無線アクセスネットワーク（ＲＡＮ）共有と関連付けられたデータを収集するためのものであってよく、少なくとも１つの他のＰＭカウンタは、ＲＡＮ共有と関連付けられないデータを収集するためのものであってよい。一定の実施形態において、優先度情報が複数の優先度レベルを含む場合、ＰＭカウンタに関するデータを収集するのに先立って、ネットワークノード１１５Ａ〜１１５Ｃは、関連付けられたレベルに複数のＰＭカウンタのそれぞれを割り当ててよい。
【００４７】
ステップ３０６において、ネットワークノード１１５Ａ〜１１５Ｃは、収集されたデータをＯＡＭシステム２１０にレポートする。
【００４８】
図６は、一定の実施形態による、データの収集に優先順位をつけるための、ＯＡＭシステム２１０による例示の方法４００を示す。方法はステップ４０２で始まり、このとき、ＯＡＭシステム２１０は、ＰＭデータを収集するための設定２５０をネットワークノード１１５Ａ〜１１５Ｃに送信する。一定の実施形態において、および上述のように、設定２５０は、１つまたは複数のＰＭカウンタを含んでよい。それぞれのＰＭカウンタは、ネットワークノード１１５Ａ〜１１５Ｃによって測定されることになるパラメータと関連付けられてよい。例えば、一定の実施形態において、および上述のように、ＰＭカウンタと関連付けられたパラメータは、以下のタイプ、すなわち、ＰＬＭＮ  ＩＤごとのデータ量と、アップリンクごとのデータ量と、ダウンリンクごとのデータ量と、ＱｏＳクラスインジケータ（ＱＣＩ）またはＱＣＩのグループごとのデータ量と、割振りと保持の優先度（ＡＲＰ）の値またはＡＲＰ値のグループごとのデータ量と、保証ビットレート（ＧＢＲ）帯域ごとのデータ量と、のうちの１つのものであってよい。
【００４９】
一定の実施形態において、ステップ４０２で送信された設定２５０は、設定２５０に含まれるＰＭカウンタの少なくとも１つと関連付けられる優先度情報を含んでもよい。例えば、優先度情報は、少なくとも１つの他のＰＭカウンタより高い優先度のものとして、少なくとも１つのＰＭカウンタを識別してよい。特定の実施形態において、ＲＡＮ共有の課金に使用されるＰＭカウンタは、高い優先度またはより高い優先度のＰＭカウンタとして指定されてよい。追加または代替として、優先度情報は、複数の優先度レベルを含んでよい。複数のＰＭカウンタに関するデータの収集に優先順位をつけることは、優先度情報に基づいて、優先順位をつけられたＰＭカウンタに専用メモリの一部を割り振ること、および／または優先順位をつけられたＰＭカウンタに関するデータの収集のために処理リソースを確保することを含んでよい。
【００５０】
ステップ４０４において、ＯＡＭシステム２１０は、ネットワークノード１１５Ａ〜１１５Ｃによって収集されたデータのレポートを受信する。レポートは、設定２５０に基づいて収集されたデータを含んでよい。
【００５１】
ＯＡＭシステム２１０は、設定２５０をネットワークノード１１５Ａ〜１１５Ｃに送信するように描かれるが、設定２５０を送信することに関する上述の機能性は、ＤＭ２３０、ＮＭ２２０、ネットワークノード１１５Ａ〜１１５Ｃ自体、または本明細書で説明された任意の他の適切なネットワークノードを含むが、これらに限定されないＯＡＭの能力または権限を有する任意のネットワークノードによって実施されてよいということが一般的に認識される。さらに、および特定の実施形態によれば、この機能性は、複数のネットワークノードの間で分割されてよい。
【００５２】
図７は、本明細書で説明された実施形態による、データの収集に優先順位をつけるための例示的なネットワークノード１１５の概略ブロック図である。上述のように、ネットワークノード１１５は、任意のタイプの無線ネットワークノードと、またはワイヤレスデバイス１１０および／もしくは別のネットワークノードと通信する任意のネットワークノードであってよい。ネットワークノード１１５の例は、上記に提供される。
【００５３】
ネットワークノード１１５は、ホモジニアス配置、ヘテロジニアス配置、または混合配置として、ネットワーク１００の全体を通じて導入されてよい。ホモジニアス配置は、一般に、同じ（または類似の）タイプのネットワークノード１１５、ならびに／または類似のカバレッジおよびセルサイズおよびサイト間距離で構成されている配置を説明してよい。ヘテロジニアス配置は、一般に、異なるセルサイズ、送信能力、性能、およびサイト間距離を有する様々なタイプのネットワークノード１１５を使用する配置を説明してよい。例えば、ヘテロジニアス配置は、マクロセルのレイアウトの全体を通じて設置される複数の低電力ノードを含んでよい。混合配置は、ホモジニアス部分およびヘテロジニアス部分の混合を含んでよい。
【００５４】
ネットワークノード１１５は、送受信機５１０、プロセッサ５２０、メモリ５３０、およびネットワークインターフェース５４０の１つまたは複数を含んでよい。いくつかの実施形態において、送受信機５１０は、（例えば、アンテナを介して）ワイヤレスデバイス１１０にワイヤレスシグナルを送信すること、およびワイヤレスデバイス１１０からワイヤレスシグナルを受信することを容易にし、プロセッサ５２０は、ネットワークノード１１５によって提供されるような上述の機能性のいくつかまたはすべてを提供する命令を実行し、メモリ５３０は、プロセッサ５２０によって実行される命令を格納し、ネットワークインターフェース５４０は、ゲートウェイ、スイッチ、ルータ、インターネット、公衆交換電話網（ＰＳＴＮ）、コアネットワークノード、または無線ネットワークコントローラ、他などのバックエンドのネットワーク構成要素にシグナルを通信する。
【００５５】
一定の実施形態において、ネットワークノード１１５は、マルチアンテナの技法を使用できることがあり、複数のアンテナで装備され、ＭＥＭＯの技法をサポートできることがある。１つまたは複数のアンテナは、制御可能な分極を有してよい。言い換えると、それぞれの要素は、種々の分極（例えば、交差分極にあるような９０度の分離）を伴う２つの同じ場所にあるサブ要素を有してよく、その結果、種々のセットのビームフォーミングウェイトが、放射波に種々の分極を引き起こすであろう。
【００５６】
ネットワークノード１１５の説明された機能のいくつかまたはすべてを実施するために、命令を実行し、データを操作する１つまたは複数のモジュールに実装されるハードウェアとソフトウェアの任意の適切な組合せを、プロセッサ５２０は含んでよい。いくつかの実施形態において、プロセッサ５２０は、例えば、１つもしくは複数のコンピュータ、１つもしくは複数の中央処理装置（ＣＰＵ）、１つもしくは複数のマイクロプロセッサ、１つもしくは複数のアプリケーション、回路機器、および／または他のロジックを含んでよい。
【００５７】
メモリ５３０は、一般に、ロジック、ルール、アルゴリズム、コード、テーブル、他、および／またはプロセッサによって実行されることができる他の命令の１つまたは複数を含む、コンピュータプログラム、ソフトウェア、アプリケーションなどの命令を格納するように動作可能である。メモリ５３０の例は、コンピュータメモリ（例えば、ランダムアクセスメモリ（ＲＡＭ）もしくはリードオンリメモリ（ＲＯＭ））、マスストレージ媒体（例えば、ハードディスク）、リムーバブルストレージ媒体（例えば、コンパクトディスク（ＣＤ）もしくはデジタルビデオディスク（ＤＶＤ））、ならびに／または、または情報を格納する任意の他の揮発性もしくは不揮発性の非一時的なコンピュータ可読メモリデバイスおよび／もしくはコンピュータ実行可能メモリデバイスを含む。
【００５８】
いくつかの実施形態において、ネットワークインターフェース５４０はプロセッサ５２０に通信連結され、ネットワークノード１１５への入力を受信すること、ネットワークノード１１５からの出力を送ること、入力もしくは出力もしくは両方の適切な処理を実施すること、他のデバイスに通信すること、または先述の任意の組合せを行うように動作可能な任意の適切なデバイスを指してよい。ネットワークインターフェース５４０は、適正なハードウェア（例えば、ポート、モデム、ネットワークインターフェースカード、他）ならびにプロトコル変換およびデータ処理能力を含む、ネットワークを通じて通信するソフトウェアを含んでよい。
【００５９】
上述の機能性のいずれか、および／または（上述のソリューションをサポートするのに必要な任意の機能性を含む）任意の追加の機能性を含む、無線ネットワークノードの機能性の一定の態様を提供する権限があり得る、図７に示された構成要素を越える追加の構成要素を、ネットワークノード１１５の他の実施形態は含んでよい。様々な異なるタイプのネットワークノードは、同じ物理的なハードウェアを有するが、種々の無線アクセス技術をサポートするように（例えば、プログラムミングを介して）設定された構成要素を含んでよく、または部分的もしくは全面的に異なる物理的な構成要素を表してよい。追加として、用語第１および第２は、例示目的のためだけに提供され、入れ替えられてよい。図７に描かれた要素および特性は、ＯＡＭシステム２１０またはその任意の一部を等しく代表するものであってよいということが追加として理解されてよい。
【００６０】
一定の実施形態において、上述のような、データの収集に優先順位をつけるための方法は、１つまたは複数の仮想コンピューティングデバイスによって実施されてよい。図８は、一定の実施形態による、データの収集に優先順位をつけるための例示のコンピューティングデバイス６００を示す。一定の実施形態において、仮想コンピューティングデバイス６００は、図５に示され、説明された方法に関して上述のステップに似ているステップを実施するためのモジュールを含んでよい。例えば、仮想コンピューティングデバイス６００は、少なくとも１つの受信モジュール６１０、少なくとも１つの収集モジュール６２０、少なくとも１つのレポートモジュール６３０、およびＲＡＮ共有に関するＰＭカウンタデータの収集に優先順位をつけるための任意の他の適切なモジュールを含んでよい。いくつかの実施形態において、モジュールの１つまたは複数は、図７の１つまたは複数のプロセッサ５２０を使用して実装されてよい。一定の実施形態において、様々なモジュールの２つ以上の機能は、単一のモジュールに組み合わされてよい。
【００６１】
受信モジュール６１０は、仮想コンピューティングデバイス６００の受信機能を実施してよい。例えば、特定の実施形態において、受信モジュール６１０は、ＯＡＭシステム２１０からＰＭデータを収集するための設定２５０を受信してよい。一定の実施形態において、設定２５０は、ネットワークノード１１５Ａ〜１１５Ｃによって測定されることになるパラメータと関連付けられる１つまたは複数のＰＭカウンタを含んでよい。設定２５０は、ＰＭカウンタの少なくとも１つと関連付けられる優先度情報を含んでもよい。
【００６２】
収集モジュール６２０は、仮想コンピューティングデバイス６００の収集機能を実施してよい。例えば、特定の実施形態において、収集モジュール６２０は、ＰＭカウンタおよび優先度情報を含んだ設定２５０に基づいて、ＰＭカウンタに関するデータを収集してよい。一定の実施形態において、ＰＭカウンタの少なくとも１つがＲＡＮ共有と関連付けられる場合、収集モジュール６２０は、少なくとも２つのＰＭカウンタに関するデータを同時に収集してよい。
【００６３】
レポートモジュール６３０は、仮想コンピューティングデバイス６００のレポート機能を実施してよい。例えば、特定の実施形態において、レポートモジュール６３０は、収集されたデータをＯＡＭシステム２１０にレポートしてよい。
【００６４】
上述の機能性のいずれか、および／または（上述のソリューションをサポートするのに必要な任意の機能性を含む）任意の追加の機能性を含む、ネットワークノード１１５の機能性の一定の態様を提供する権限があり得る、図４に示された構成要素を越える追加の構成要素を、コンピュータネットワーキング仮想装置４００の他の実施形態は含んでよい。様々な異なるタイプのワイヤレスデバイス１１５は、同じ物理的なハードウェアを有するが、種々の無線アクセス技術をサポートするように（例えば、プログラムミングを介して）設定された構成要素を含んでよく、または部分的もしくは全面的に異なる物理的な構成要素を表してよい。
【００６５】
図９は、一定の実施形態による、ＲＡＮ共有に関するＰＭデータの収集に優先順位をつけるための別の例示の仮想コンピューティングデバイス７００を示す。一定の実施形態において、仮想コンピューティングデバイス７００は、図６に示され、説明された方法に関して上述のステップに似ているステップを実施するためのモジュールを含んでよい。例えば、仮想コンピューティングデバイス７００は、少なくとも１つの送信モジュール７１０、少なくとも１つの受信モジュール７２０、およびＲＡＮ共有に関するデータの収集に優先順位をつけるための任意の他の適切なモジュールを含んでよい。いくつかの実施形態において、モジュールの１つまたは複数は、図７の１つもしくは複数のプロセッサ５２０または別のプロセッサを使用して実装されてよい。一定の実施形態において、様々なモジュールの２つ以上の機能は、単一のモジュールに組み合わせられてよい。
【００６６】
送信モジュール７０２は、仮想コンピューティングデバイス７００の送信機能を実施してよい。例えば、特定の実施形態において、送信モジュール７１０は、ＰＭデータを収集するための設定２５０をネットワークノード１１５Ａ〜１１５Ｃに送信してよい。一定の実施形態において、および上述のように、設定２５０は、１つまたは複数のＰＭカウンタを含んでよい。それぞれのＰＭカウンタは、ネットワークノード１１５Ａ〜１１５Ｃによって測定されることになるパラメータと関連付けられてよい。一定の実施形態において、設定２５０は、設定２５０に含まれる、ＰＭカウンタの少なくとも１つと関連付けられる優先度情報を含んでもよい。例えば、優先度情報は、少なくとも１つの他のＰＭカウンタより高い優先度のものとして、少なくとも１つのＰＭカウンタを識別してよい。
【００６７】
受信モジュール７２０は、仮想コンピューティングデバイス７００の受信機能を実施してよい。例えば、特定の実施形態において、受信モジュール７２０は、ネットワークノード１１５Ａ〜１１５Ｃによって収集されたデータのレポートを受信してよい。レポートは、設定２５０に基づいて収集されたデータを含んでよい。
【００６８】
上述の機能性のいずれか、および／または（上述のソリューションをサポートするのに必要な任意の機能性を含む）任意の追加の機能性を含む、ネットワークノード１１５Ａ〜１１５Ｃ、またはＯＡＭシステム２１０の機能性の一定の態様を提供する権限があり得る、図９に示された構成要素を越える追加の構成要素を、仮想コンピューティングデバイス７００の他の実施形態は含んでよい。様々な異なるタイプのネットワークノード１１５Ａ〜１１５Ｃおよび／またはＯＡＭシステム２１０は、同じ物理的なハードウェアを有するが、種々の無線アクセス技術をサポートするように（例えば、プログラムミングを介して）設定された構成要素を含んでよく、または部分的もしくは全面的に異なる物理的な構成要素を表してよい。
【００６９】
図１０は、一定の実施形態による、データの収集に優先順位をつける例示のワイヤレスデバイス１１０を示す。描かれるように、ワイヤレスデバイス１１０は、送受信機８１０、プロセッサ８２０、およびメモリ８３０を含む。いくつかの実施形態において、送受信機８１０は、（例えば、アンテナを介して）ネットワークノード１１５にワイヤレスシグナルを送信すること、およびネットワークノード１１５からワイヤレスシグナルを受信することを容易にし、プロセッサ８２０は、ワイヤレスデバイス１１０によって提供されるような、上述の機能性のいくつかまたはすべてを提供する命令を実行し、メモリ８３０は、プロセッサ８２０によって実行される命令を格納する。ワイヤレスデバイス１１０の例は、上記に提供される。
【００７０】
プロセッサ３２０は、ワイヤレスデバイス１１０の説明された機能のいくつかまたはすべてを実施するために、命令を実行し、データを操作する１つまたは複数のモジュールに実装されるハードウェアとソフトウェアの任意の適切な組合せを含んでよい。いくつかの実施形態において、プロセッサ８２０は、例えば、１つもしくは複数のコンピュータ、１つもしくは複数の中央処理装置（ＣＰＵ）、１つもしくは複数のマイクロプロセッサ、１つもしくは複数のアプリケーション、回路機器、および／または他のロジックを含んでよい。
【００７１】
メモリ８３０は、一般に、ロジック、ルール、アルゴリズム、コード、テーブル、他、および／またはプロセッサによって実行されることができる他の命令の１つまたは複数を含む、コンピュータプログラム、ソフトウェア、アプリケーションなどの命令を格納するように動作可能である。メモリ８３０の例は、コンピュータメモリ（例えば、ランダムアクセスメモリ（ＲＡＭ）もしくはリードオンリメモリ（ＲＯＭ））、マスストレージ媒体（例えば、ハードディスク）、リムーバブルストレージ媒体（例えば、コンパクトディスク（ＣＤ）もしくはデジタルビデオディスク（ＤＶＤ））、ならびに／または、または情報を格納する任意の他の揮発性もしくは不揮発性の非一時的なコンピュータ可読メモリデバイスおよび／もしくはコンピュータ実行可能メモリデバイスを含む。
【００７２】
上述の機能性のいずれか、および／または（上述のソリューションをサポートするのに必要な任意の機能性を含む）任意の追加の機能性を含む、ワイヤレスデバイスの機能性の一定の態様を提供する権限があり得る、図１０に示された構成要素を越える追加の構成要素を、ワイヤレスデバイス１１０の他の実施形態は含んでよい。
【００７３】
本開示の一定の実施形態は、１つまたは複数の技術的な利点をもたらすことがある。例えば、一定の実施形態は、より堅牢で信頼できるＰＭカウンタデータを提供することがある。１つの例示の実装形態において、一定の実施形態は、このようなカウンタが、エラーになりにくいように、および／またはネットワークノードのストレージ制限のために破壊されないように、請求目的で使用されるＲＡＮ共有のデータ量カウンタの収集に優先順位をつけてよい。別の利点は、ストレージの処理能力またはバックホールの制限に起因するボトルネックにもかかわらず、このようなＰＭカウンタが収集されることを、一定の実施形態が保証するというものであってよい。さらに別の利点は、より高い優先度のパラメータは収集され、正確にレポートされるが、他のそれほど重要ではないパラメータは、優先順位を下げた結果、パフォーマンス制限による影響を最終的に受けるというメカニズムを、一定の実施形態が可能にするというものであってよい。
【００７４】
本開示の範囲から逸脱することなく、変更、追加、または除外が、本明細書で説明されたシステムおよび装置に対して行われてよい。システムおよび装置の構成要素は統合されてよく、または分離されてよい。さらに、システムおよび装置の運用は、より多くの構成要素、より少ない構成要素、または他の構成要素によって実施されてよい。追加として、システムおよび装置の運用は、ソフトウェア、ハードウェア、および／または他のロジックを含む任意の適切なロジックを使用して実施されてよい。本ドキュメントにおいて使用されるように、「それぞれ」は、セットのそれぞれのメンバ、またはセットのサブセットのそれぞれのメンバを指す。
【００７５】
本開示の範囲から逸脱することなく、変更、追加、または除外が、本明細書で説明された方法に対して行われてよい。方法は、より多くのステップ、より少ないステップ、または他のステップを含んでよい。追加として、ステップは、任意の適切な順番で実施されてよい。
【００７６】
本開示は、一定の実施形態の観点から説明されたが、実施形態の代替および置換は、当業者には明白になるであろう。それに応じて、実施形態の上記の説明は、本開示を束縛しない。以下の特許請求の範囲によって規定されるように、本開示の精神および範囲から逸脱することなく、他の変化、代用、および代替が可能である。
【図１】
0006603798.tif 000002
【図２】
0006603798.tif 000003
【図３】
0006603798.tif 000004
【図４】
0006603798.tif 000005
【図５】
0006603798.tif 000006
【図６】
0006603798.tif 000007
【図７】
0006603798.tif 000008
【図８】
0006603798.tif 000009
【図９】
0006603798.tif 000010
【図１０】
0006603798.tif 000011